(57)【要約】【課題】ユーザが番組の放送開始時刻を正確に把握していなくても番組予約ができる。【解決手段】番組予約装置は、所定のチャンネル、所定の日時を含む番組条件を表示するかんたん録画予約画面を視聴中の映像に重ねて表示し、番組条件に合致する番組（所定のチャンネルの所定の日時を含む時間帯の番組）をＥＰＧ情報から検索し、検索した番組情報を予約番組候補として表示する。検索した番組情報が録画したい番組情報ではない場合、番組条件を変更すると、変更後の番組条件に合致した番組情報に変更される。所望の番組が検索されると、ユーザは決定キーを操作する。これにより、予約番組候補が予約番組として確定する。【選択図】      図３
2010068330.tif 000002
【特許請求の範囲】
【請求項１】
所定のチャンネル、所定の日時を含む予約情報を表示する予約情報表示手段と、
番組表データから前記所定のチャンネルの前記所定の日時を含む時間帯の番組情報を検索し、該番組情報を表示する番組情報表示手段と、
前記番組情報表示手段により表示される番組情報の番組を予約する予約手段と、
前記予約情報表示手段により表示される予約情報を変更することにより前記番組情報表示手段により表示される番組情報を変更する変更手段と、
を具備する番組予約装置。
【請求項２】
前記予約情報表示手段は、所定の操作に応じて、現在視聴している番組のチャンネルと、現在の日時を含む予約情報を表示することを特徴とする請求項１記載の番組予約装置。
【請求項３】
前記番組情報表示手段は、検索された番組の番組名、開始時刻、終了時刻を含む番組情報を表示することを特徴とする請求項１記載の番組予約装置。
【請求項４】
前記変更手段により変更された予約情報が過去の日時を含む場合は、警告メッセージを表示する手段をさらに具備することを特徴とする請求項１記載の番組予約装置。
【請求項５】
前記変更手段により変更された予約情報が現在視聴している番組の開始時刻よりも過去の時間を含む場合は、警告メッセージを表示する手段をさらに具備することを特徴とする請求項１記載の番組予約装置。
【請求項６】
前記変更手段により変更された予約情報に基づいて検索された番組の時間帯が前記予約手段により予約された番組の時間帯と重複している場合、警告メッセージを表示する手段をさらに具備することを特徴とする請求項１記載の番組予約装置。
【請求項７】
前記変更手段により変更された予約情報に基づいて検索された番組の時間帯が前記予約手段により予約された番組の時間帯と重複している場合、重複している既予約の番組情報を表示する手段をさらに具備することを特徴とする請求項１記載の番組予約装置。
【請求項８】
前記予約手段は所定の操作に応じて前記番組情報表示手段により表示されている番組情報の番組を予約することを特徴とする請求項１記載の番組予約装置。
【請求項９】
所定のチャンネル、所定の日時を含む予約情報を表示する予約情報表示ステップと、
番組表データから前記所定のチャンネルの前記所定の日時を含む時間帯の番組情報を検索し、該番組情報を表示する番組情報表示ステップと、
前記番組情報表示ステップにより表示される番組情報の番組を予約する予約ステップと、
前記予約情報表示ステップにより表示される予約情報を変更することにより前記番組情報表示ステップにより表示される番組情報を変更する変更ステップと、
を具備する番組予約方法。
【請求項１０】
前記変更ステップにより変更された予約情報が過去の日時を含む場合は、警告メッセージを表示するステップをさらに具備することを特徴とする請求項９記載の番組予約方法。
【請求項１１】
前記変更ステップにより変更された予約情報が現在視聴している番組の開始時刻よりも過去の時間を含む場合は、警告メッセージを表示するステップをさらに具備することを特徴とする請求項９記載の番組予約方法。
【請求項１２】
前記変更ステップにより変更された予約情報に基づいて検索された番組の時間帯が前記予約ステップにより予約された番組の時間帯と重複している場合、警告メッセージを表示するステップをさらに具備することを特徴とする請求項９記載の番組予約方法。
【請求項１３】
前記変更ステップにより変更された予約情報に基づいて検索された番組の時間帯が前記予約ステップにより予約された番組の時間帯と重複している場合、重複している既予約の番組情報を表示するステップをさらに具備することを特徴とする請求項９記載の番組予約方法。
【発明の詳細な説明】
【技術分野】
【０００１】
本発明はテレビジョン受像機、番組録画装置等の番組予約装置および番組予約方法に関する。
【背景技術】
【０００２】
従来のテレビ放送番組のタイマ予約録画の一例が特許文献１に記載されている。ここでは、ユーザはタイマ予約録画設定画面を操作し、録画予約する。ユーザは録画予約したい番組がチャンネル番号ｘｘのｙｙ放送局で明日の午後７時００分から午後８時まで放送予定の「ｚｚｚｚ」という番組であることを記憶しているものとする。タイマ予約録画設定画面はユーザに先ずチャンネルを指定させ、次に、日付、録画開始時刻を指定させる。放送局、放送日、放映開始時刻の情報が得られると、制御部は定期的に取得・更新しているＥＰＧ情報（電子番組情報ガイド）をメモリから読出し、ユーザが指定した情報とＥＰＧ情報とから、ユーザが録画を希望する番組を推定可能である。
【特許文献１】特開２００５−５１３２５号公報（段落００３０、段落００３６〜段落００４３、図４）
【発明の開示】
【発明が解決しようとする課題】
【０００３】
特許文献１記載の予約録画操作では、ユーザは番組開始時刻を正確に記憶していないとならないという問題がある。近年、開始時刻が毎時ジャストではなく、数分早く開始する番組が増えている傾向があり、番組開始時刻が不正確であると、ＥＰＧ情報から希望する番組を推定することが出来ない。
【０００４】
本発明の目的はユーザが番組の放送開始時刻を正確に把握していなくても番組を予約することができる番組予約装置および番組予約方法を提供することである。
【課題を解決するための手段】
【０００５】
本発明の一態様による番組予約装置は、所定のチャンネル、所定の日時を含む予約情報を表示する予約情報表示手段と、番組表データから前記所定のチャンネルの前記所定の日時を含む時間帯の番組情報を検索し、該番組情報を表示する番組情報表示手段と、前記番組情報表示手段により表示される番組情報の番組を予約する予約手段と、前記予約情報表示手段により表示される予約情報を変更することにより前記番組情報表示手段により表示される番組情報を変更する変更手段とを具備するものである。
【０００６】
本発明の一態様による番組予約方法は、所定のチャンネル、所定の日時を含む予約情報を表示する予約情報表示ステップと、番組表データから前記所定のチャンネルの前記所定の日時を含む時間帯の番組情報を検索し、該番組情報を表示する番組情報表示ステップと、前記番組情報表示ステップにより表示される番組情報の番組を予約する予約ステップと、前記予約情報表示ステップにより表示される予約情報を変更することにより前記番組情報表示ステップにより表示される番組情報を変更する変更ステップとを具備するものである。
【発明の効果】
【０００７】
以上説明したように本発明によれば、日時とチャンネルを設定すると、この設定情報に応じて番組表データを検索して、当該チャンネルの当該日時を含む時間帯の番組の番組情報を表示する。この状態で、日時とチャンネルを変更することにより、番組表データの再検索が行われ、所望の番組を見つけることができる。これにより、ユーザは番組の放送開始時刻、放送終了時刻を正確に認識していなくても、所望の番組を予約することができる。
【発明を実施するための最良の形態】
【０００８】
以下、図面を参照して本発明による番組予約装置および番組予約方法の実施の形態を説明する。
【０００９】
番組予約装置は任意のテレビジョン受像機、録画装置、ラジオ受信機等に応用され得るが、ここでは一例としてハードディスクドライブとＤＶＤディスクドライブを有する録画装置を説明する。
【００１０】
図１は本発明の第１の実施の形態に係る録画装置の構成を示す図である。映像記録再生装置１２と映像表示装置１４が接続される。映像記録再生装置１２にはリモートコントローラ１４が付属している。リモートコントローラ１４からの操作信号が変調された赤外光がリモコン受光部２４で受信され、ＣＰＵ部２６に操作信号が入力される。装置１２の本体にも、リモートコントローラ１４からの操作信号と同じ信号をＣＰＵ部２６に入力することができるユーザ操作入力部２２が設けられる。リモートコントローラ１４とユーザ操作入力部２２はいずれか一方のみでもよい。
【００１１】
リモートコントローラ１４の一例を図２に示す。電源キー、チャンネルキー、音量キー等の通常のキー以外に、本実施形態の予約に関するキーとして、予約キー７２、終了キー７４、決定キー７６、決定キー７６の外側に配置され上下左右の４方向のいずれかを選択できる選択キー７８が設けられる。選択キー７６は左右方向の操作で項目の選択、上下方向の操作で項目の値の変更を指示する。
【００１２】
ＣＰＵ部２６は予約キー押し受付部５２、カレント情報設定予約画面表示部５４、「ＥＰＧ情報と設定情報比較部」５６、番組情報表示部５８、「予約済みまたは重複予約判断部」６０、設定情報変更受付部６２、「現在時刻と指定時刻比較部」６４、メッセージ生成表示部６６を含む。予約キー押し受付部５２はリモートコントローラ１４の予約キー７２の操作を検出する。カレント情報設定予約画面表示部５４は予約キー７２の操作に応じて録画予約画面を表示する。録画予約画面にはユーザ操作により変更されるカレント情報（番組条件）が表示される。「ＥＰＧ情報と設定情報比較部」５６は予約画面に表示されるカレント情報と、既に入手しているＥＰＧ情報とを比較し、予約番組候補を求める。
【００１３】
番組情報表示部５８は予約番組候補の番組情報を、確認のために予約画面に表示する。「予約済みまたは重複予約判断部」６０は予約番組候補が既に予約済みである、または同じ時間帯に他の番組が予約済みであることを検出する。設定情報変更受付部６２はユーザ操作により変更されたカレント情報を入力する。「現在時刻と指定時刻比較部」６４は現在時刻と番組条件に含まれる指定時刻とを比較し、指定時刻が現在時刻よりも過去であれば、予約不可であると判定する。メッセージ生成表示部６６は種々の警告メッセージを作成し、表示する。
【００１４】
ＣＰＵ部２６はチューナ部２８、メモリ部３０、タイマ部３２、録再信号処理部３４、ディスクドライブ部３６、ハードディスクドライブ部３８に接続される。チューナ部２８はアンテナからの映像信号を受け、出力信号を録再信号処理部３４に供給する。ＥＰＧ情報が放送番組に重畳されている場合は、録再信号処理部３４は放送番組からＥＰＧ情報を抽出し、メモリ部３０に書き込む。ＥＰＧ情報は別途（例えば、図示していないが、インターネット経由で）取得して、メモリ部３０に書き込んでもよい。タイマ部３２は予約番組の情報を記憶し、開始時刻になると、ＣＰＵ部２６を介してチューナ部２８、録再信号処理部３４、ハードディスクドライブ部３８等に電源を投入し、録画動作を開始させる。録再信号処理部３４はＣＰＵ部２６、ディスクドライブ部３６、ハードディスクドライブ部３８にも接続される。ディスクドライブ部３６はＤＶＤ−Ｒ等の記録可能型記憶媒体に番組を記録（再生）するものであり、ハードディスクドライブ部３８はハードディスク４２に番組を記録（再生）するものである。録再信号処理部３４の出力が映像表示装置１６に表示される。
【００１５】
図３はこの実施形態の予約動作の流れを示すフローチャートである。映像記録再生装置１２では、リモートコントローラ１４の番組ナビキーを操作し、番組表を表示して、所望の番組を選択することによっても番組を予約できるが、本発明とは直接が関係ないので、この予約の詳細は説明を省略する。番組表を表示して所望の番組を選択する方法は、番組表の表示・スクロールに時間が係る、キー操作が複雑であるという問題がある。図３はより簡単な予約動作の流れを示す。
【００１６】
映像表示装置１６でテレビ番組の視聴中に予約キー７２を押すことにより番組予約が始まる。ブロック１０２で予約キー押し受付部５２が予約キー７２の操作を検出すると、ブロック１０４でカレント情報設定予約画面表示部５４は映像表示装置１６が表示しているテレビ番組の画像の一部に「かんたん録画予約画面」を表示する。「かんたん録画予約画面」の一例を図４に示す。「かんたん録画予約画面」は現在時刻（曜日・日付も含む）と、番組条件を表示する。番組条件とは録画したい番組の条件であり、曜日・日付、チャンネル、指定時刻からなる。番組条件の初期値としては現在の曜日・日付、現在視聴中のチャンネル、現在時刻が表示される。指定時刻とは、この時刻を含む時間帯の番組を録画したいという条件である。
【００１７】
ブロック１０６で「ＥＰＧ情報と設定情報比較部」５６は番組条件とメモリ部３０に記憶されているＥＰＧ情報とを比較し、番組条件に合致する番組（当該日付に当該チャンネルで放送され、指定時刻を含む時間帯に放送される番組）を検索し、検索結果である番組情報を予約番組候補として「かんたん録画予約画面」内の該当番組欄に表示する。図４は番組条件の指定時刻である２０時０２分を含む２０時００分から２０時５４分までに放送される番組、すなわち現在視聴中の番組の情報を予約番組候補として表示する。この予約番組の初期候補は現在視聴中の番組であるので、所望の番組ではない場合が多い。
【００１８】
予約番組候補を変更するには、番組条件を変更すれば良い。視聴者は録画したい番組の正確な放送時間を知らなくても、だいたい何日あるいは何曜日の何時頃に何チャンネルで放送しているかは把握している。そのため、番組条件の各項目の値を変更し、所望の番組の番組情報が予約番組候補として表示されるのを待つ。番組条件上に表示されるカーソルは選択キー７８を左右に操作することにより移動し、曜日・日時、チャンネル、指定時刻のいずれかの項目上に位置する。その状態で、選択キー７８を上下に操作することにより、曜日・日時、チャンネル、指定時刻の各値を変更（増減）できる。なお、録画したい番組の予約なので、過去の曜日・日時を示す値には変更できないようになっている。ただし、当日であれば、午前０時までを指定時刻として設定できるようになっている。
【００１９】
ブロック１０８で設定情報変更受付部６２が番組条件の変更を検出すると、ブロック１１０でカレント情報設定予約画面表示部５４は変更後の番組条件から検索された予約番組候補の番組情報を「かんたん録画予約画面」の該当番組欄に表示する。図５は図４の「かんたん録画予約画面」において、曜日・日時を翌日に変更した場合の画面を示す。図６は図４の「かんたん録画予約画面」において、指定時刻を２時間後の２２時０７分に変更した場合の画面を示す。
【００２０】
ブロック１１２で「現在時刻と指定時刻比較部」６４は現在時刻と番組条件に含まれる指定時刻とを比較し、指定時刻が現在時刻よりも過去であるか否かを判定する。過去の場合は、ブロック１１４で指定時刻が現在視聴中の番組の時間帯に含まれるか否か、すなわち現在視聴中の番組の開始時刻よりは現在であるか否かを判定する。指定時刻が現在視聴中の番組の時間帯に含まれない場合、すなわち現在視聴中の番組の開始時刻より過去であると判定された場合は、過去の番組は予約しても録画できないので、ブロック１１６で過去番組予約不可メッセージを表示して、ブロック１２６に進む。過去番組予約不可メッセージの表示例を図１０に示す。図１０は現在時刻が９月１日（月）２０時０７分であるので、過去である９月１日（月）１８時０７分を含む番組（その終了時刻は２０時であるとする）の予約は不可であることを示すとともに、現在以降の日時に変更することを促す。
【００２１】
ブロック１１２で指定時刻が現在時刻よりも過去でないと判定された場合、あるいはブロック１１４で指定時刻が現在視聴中の番組の時間帯に含まれると判定された場合、ブロック１１８に進む。ブロック１１８で「予約済みまたは重複予約判断部」６０は予約候補番組と同じ番組が既に予約されているか否かを判断する。予約候補番組が既に予約されている場合は、ブロック１２０でメッセージ生成表示部６６は予約済みメッセージを表示する。図７は予約済みメッセージの表示例である。通常、図４、図５、図６に示すように、予約候補番組の番組情報の表示の下部には「決定キーを押すと予約します」というメッセージが表示されるが、図７では、予約候補番組の番組情報の表示の下部には「予約登録済みの番組です。番組情報を変更して下さい」というメッセージが表示される。この後、一定時間以内に何のキー操作も行われないと、ブロック１０４に戻り、「かんたん録画予約画面」の表示に戻る。
【００２２】
図７に示す予約済みメッセージを表示したにも係わらず、一定時間以内に予約確定用の予約キーが押されると（ブロック１２２のイエス）、ブロック１２８で図８に示すような予約済み警告を表示する。図７に示すメッセージの表示（ブロック１２０）、あるいは図８に示す警告表示（ブロック１２４）の後、何のキー操作も行われないと、ブロック１０４に戻り、「かんたん録画予約画面」の表示に戻る。
【００２３】
ブロック１１８で予約候補番組が既に予約されていないと判定された場合は、ブロック１２８で「予約済みまたは重複予約判断部」６０は予約候補番組と同じ時間帯に他の番組が既に予約されているか否かを判断する。同じ時間帯に他の番組が既に予約されている場合は、ブロック１３０でメッセージ生成表示部６６は重複番組の番組情報を表示する。図９（ａ）は予約候補番組と重複する番組の番組情報を表示する例である。この例は、番組条件である９月１日（月）にｚｚテレビで放送される番組の中で指定時刻である２２時０７分を含む時間帯の番組である「月曜ドラマ」（ｚｚテレビ、２２時００分から２３時１５分まで）が予約番組候補である場合、同じ時間帯の他のチャンネルの別の番組「＊＊事件特集」と「ニュース＊＊」が既に予約されている状況を示す。この重複番組の番組情報表示を見て、予約候補番組を変えるか、あるいは既に予約されている番組の予約を変更する必要があることが判る。なお、チューナを２つ内蔵し、２番組を同時に録画可能な録画装置であれば、同一時間帯の２番組の重複までは許容し、３番組が重複した場合に、ブロック１２８の判定をイエスとすれば良い。
【００２４】
既に予約されている番組の詳細は重複番組情報表示画面の「一覧」、あるいは「詳細」を選択すると、見ることが出来る。図９（ｂ）は一覧操作時の画面表示例であり、既に予約されている番組の一覧を表示する。実行欄のチェックを外すことにより、予約をキャンセルすることが出来る。図９（ｃ）は詳細操作時の画面表示例を示す図であり、予約候補番組の詳細を表示する。この詳細表示において、予約操作をキャンセルすることが出来る。キャンセル後は何のキー操作も行われないと、ブロック１０４に戻り、「かんたん録画予約画面」の表示に戻る。
【００２５】
同じ時間帯に既に予約されている他の番組がない場合（ブロック１２８のノー）は、ブロック１３２で一定時間以内に予約確定のための予約キーが押されると（ブロック１２２のイエス）、ブロック１３４で予約を確定する。図示しないが、「予約を確定しました」というメッセージを表示しても良い。この後、一定時間内に終了キーが操作されると、かんたん予約処理は終了する。なお、終了キーは随時操作可能であり、かんたん予約処理は任意のタイミングで終了させることが出来る。
【００２６】
なお、指定時刻が現在時刻よりも過去であるが、現在視聴中の番組の開始時刻よりも現在であればブロック１１８に移行しているので、予約済み、あるいは重複していなければ、予約は確定できる。この場合は、番組の開始時刻は過去であるので、予約が確定した時刻から番組録画が開始される。
【００２７】
以上説明したように本実施形態によれば、指定の日時の指定のチャンネルの指定の時刻を含む時間帯の番組情報が予約候補番組として表示され、良ければ決定キーの操作により予約が確定する。予約候補番組と同じ番組が既に予約されている場合は、警告が表示され、さらに、予約を確定しようとした場合も警告が表示される。予約候補番組と同じ時間帯に他の番組が既に予約されている場合も、警告が表示される。このため、簡単な操作により、しかもユーザが録画したい番組の情報（開始時刻、終了時刻等）を知らなくても、所望の番組を録画予約することが出来る。
【００２８】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００２９】
【図１】本発明の一実施の形態に係る番組予約装置の一例を示すブロック図。
【図２】本発明の一実施の形態に係る番組予約装置のリモートコントローラの一例を示す平面図。
【図３】本発明の一実施の形態に係る番組予約装置の予約操作の一例を示すフローチャート。
【図４】本発明の一実施の形態に係る番組予約装置における「かんたん録画予約画面」の一例を示す図。
【図５】本発明の一実施の形態に係る番組予約装置における「かんたん録画予約画面」の他の一例を示す図。
【図６】本発明の一実施の形態に係る番組予約装置における「かんたん録画予約画面」のさらに他の一例を示す図。
【図７】本発明の一実施の形態に係る番組予約装置における「かんたん録画予約画面」の別の一例を示す図。
【図８】本発明の一実施の形態に係る番組予約装置における「かんたん録画予約画面」の別の一例を示す図。
【図９】本発明の一実施の形態に係る番組予約装置における「かんたん録画予約画面」の別の一例を示す図。
【図１０】本発明の一実施の形態に係る番組予約装置における「かんたん録画予約画面」の別の一例を示す図。
【符号の説明】
【００３０】
１２…映像記録再生装置、１４…リモートコントローラ、１６…映像表示装置、２２…ユーザ操作入力部、２６…ＣＰＵ部、２８…チューナ部、３０…メモリ部、３２…タイマ部、３４…録再信号処理部、３６…ディスクドライブ部、３８…ハードディスクドライブ部。
【図１】
2010068330.tif 000003
【図２】
2010068330.tif 000004
【図３】
2010068330.tif 000005
【図４】
2010068330.tif 000006
【図５】
2010068330.tif 000007
【図６】
2010068330.tif 000008
【図７】
2010068330.tif 000009
【図８】
2010068330.tif 000010
【図９】
2010068330.tif 000011
【図１０】
2010068330.tif 000012